(57)【要約】【課題】画像データを送信する機能がある送信装置に送信先を指定した場合に、その送信先を名称と対応付けて記憶するよう利用者に促す。【解決手段】第１受付部１１１は、操作部１５から画像読取装置２から取得した画像データの送信先の指定を受付ける。指示部１１４は、第１受付部１１１が受付けた指定により示される送信先が記憶部１２の送信先ＤＢ１２１に記憶されていない場合に、第２受付部１１２に対してこの送信先に対応付ける名称の指定を受付けるよう指示する。また、指示部１１４は、第２受付部１１２が名称の指定を受付けた場合に、その名称と第１受付部１１１が受付けた指定により示される送信先とを対応付けて記憶するよう記憶部１２に指示する。送信部１１５は、第１受付部１１１が受付けた指定により示される送信先に、画像読取装置２から取得した画像データを送信する。【選択図】図５
2018026719.tif 000002
【特許請求の範囲】
【請求項１】
名称と送信先とを対応付ける記憶部と、
データの送信先の指定を受付ける第１受付部と、
前記第１受付部が受付けた指定により示される送信先が前記記憶部に記憶されていない場合に、該送信先に対応付ける名称の指定を受付ける第２受付部と、
前記第２受付部が前記名称の指定を受付けた場合に、該名称と前記第１受付部が受付けた指定により示される前記送信先とを対応付けて記憶するよう前記記憶部に指示する指示部と、
前記第１受付部が受付けた指定により示される送信先に、画像データを送信する送信部と、
を有することを特徴とする送信装置。
【請求項２】
前記記憶部は、前記送信先と該送信先にデータを送信するための手続とを対応付けて記憶し、
前記送信部は、前記記憶部において前記送信先と対応付けられた手続によって前記画像データを送信する
ことを特徴とする請求項１に記載の送信装置。
【請求項３】
前記送信部による前記画像データの送信が成功したか否かを判定する判定部、を有し、
前記第２受付部は、前記判定部により前記送信が成功したと判定された場合に、前記名称の指定を受付ける
ことを特徴とする請求項１または２に記載の送信装置。
【請求項４】
操作の終了の指示を受付ける第３受付部と、
前記第２受付部による前記名称の指定が受付けられる前に、前記第３受付部が前記終了の指示を受付けた場合に、警告をする警告部と、
を有することを特徴とする請求項１から３のいずれか１項に記載の送信装置。
【請求項５】
利用者を検知する検知部、を有し、
前記第２受付部は、前記利用者が決められた範囲内からいなくなったことを前記検知部が検知した場合に、前記名称の指定を受付けない
ことを特徴とする請求項１から４のいずれか１項に記載の送信装置。
【請求項６】
請求項１から５のいずれか１項に記載の送信装置と、
画像を読取る画像読取部と、を有し、
前記送信装置は、前記画像読取部が読取った画像を示す画像データを、受付けた指定により示される送信先に送信する
ことを特徴とする画像読取装置。
【請求項７】
画像読取装置を制御するコンピュータを、
名称と送信先とを対応付ける記憶部と、
データの送信先の指定を受付ける第１受付部と、
前記第１受付部が受付けた指定により示される送信先が前記記憶部に記憶されていない場合に、該送信先に対応付ける名称の指定を受付ける第２受付部と、
前記第２受付部が前記名称の指定を受付けた場合に、該名称と前記第１受付部が受付けた指定により示される前記送信先とを対応付けて記憶するよう前記記憶部に指示する指示部と、
前記第１受付部が受付けた指定により示される送信先に、画像データを送信する送信部
として機能させるためのプログラム。
【発明の詳細な説明】
【技術分野】
【０００１】
本発明は、送信装置、画像読取装置およびプログラムに関する。
【背景技術】
【０００２】
特許文献１には、１つの名称データに対して複数の項目データを対応付けて格納可能なアドレス帳を有する通信端末装置が開示されている。
特許文献２には、受信した電子メールの送信元の電子メールアドレスがアドレス帳に登録されていない場合、その電子メールアドレスを含む送受信の履歴を、関連電子メールとして検索し、見つかった場合に、関連電子メールに含まれる登録されていない電子メールアドレス以外の送受信者を送信元の関連アドレスとして表示する情報処理装置が開示されている。
【先行技術文献】
【特許文献】
【０００３】
【特許文献１】特開２０００−１１５３４０号公報
【特許文献２】特開２０１４−８１９３０号公報
【発明の概要】
【発明が解決しようとする課題】
【０００４】
本発明は、画像データを送信する機能がある送信装置に送信先を指定した場合に、その送信先を名称と対応付けて記憶するよう利用者に促すことを目的とする。
【課題を解決するための手段】
【０００５】
上述した課題を解決するため、本発明の請求項１に係る送信装置は、名称と送信先とを対応付ける記憶部と、データの送信先の指定を受付ける第１受付部と、前記第１受付部が受付けた指定により示される送信先が前記記憶部に記憶されていない場合に、該送信先に対応付ける名称の指定を受付ける第２受付部と、前記第２受付部が前記名称の指定を受付けた場合に、該名称と前記第１受付部が受付けた指定により示される前記送信先とを対応付けて記憶するよう前記記憶部に指示する指示部と、前記第１受付部が受付けた指定により示される送信先に、画像データを送信する送信部と、を有することを特徴とする。
【０００６】
本発明の請求項２に係る送信装置は、請求項１に記載の態様において、前記記憶部は、前記送信先と該送信先にデータを送信するための手続とを対応付けて記憶し、前記送信部は、前記記憶部において前記送信先と対応付けられた手続によって前記画像データを送信することを特徴とする。
【０００７】
本発明の請求項３に係る送信装置は、請求項１または２に記載の態様において、前記送信部による前記画像データの送信が成功したか否かを判定する判定部、を有し、前記第２受付部は、前記判定部により前記送信が成功したと判定された場合に、前記名称の指定を受付けることを特徴とする。
【０００８】
本発明の請求項４に係る送信装置は、請求項１から３のいずれか１項に記載の態様において、操作の終了の指示を受付ける第３受付部と、前記第２受付部による前記名称の指定が受付けられる前に、前記第３受付部が前記終了の指示を受付けた場合に、警告をする警告部と、を有することを特徴とする。
【０００９】
本発明の請求項５に係る送信装置は、請求項１から４のいずれか１項に記載の態様において、利用者を検知する検知部、を有し、前記第２受付部は、前記利用者が決められた範囲内からいなくなったことを前記検知部が検知した場合に、前記名称の指定を受付けないことを特徴とする。
【００１０】
本発明の請求項６に係る画像読取装置は、請求項１から５のいずれか１項に記載の送信装置と、画像を読取る画像読取部と、を有し、前記送信装置は、前記画像読取部が読取った画像を示す画像データを、受付けた指定により示される送信先に送信することを特徴とする。
【００１１】
本発明の請求項７に係るプログラムは、画像読取装置を制御するコンピュータを、名称と送信先とを対応付ける記憶部と、データの送信先の指定を受付ける第１受付部と、前記第１受付部が受付けた指定により示される送信先が前記記憶部に記憶されていない場合に、該送信先に対応付ける名称の指定を受付ける第２受付部と、前記第２受付部が前記名称の指定を受付けた場合に、該名称と前記第１受付部が受付けた指定により示される前記送信先とを対応付けて記憶するよう前記記憶部に指示する指示部と、前記第１受付部が受付けた指定により示される送信先に、画像データを送信する送信部として機能させるためのプログラムである。
【発明の効果】
【００１２】
請求項１、６、７に係る発明によれば、画像データを送信する機能がある送信装置に送信先を指定した場合に、その送信先を名称と対応付けて記憶するよう利用者に促すことができる。
請求項２に係る発明によれば、指定した送信先から、その送信先に画像データを送信するための手続を特定することができる。
請求項３に係る発明によれば、送信が成功した送信先を記憶する対象とすることができる。
請求項４に係る発明によれば、指定した送信先が記憶されていないまま操作を終了させようとした利用者にそのことを知らせることができる。
請求項５に係る発明によれば、利用者が決められた範囲内からいなくなった場合に、利用者の意図に反して送信先が記憶されることを防止される。
【図面の簡単な説明】
【００１３】
【図１】本実施形態に係る画像処理システム９の全体構成を示す図。
【図２】画像読取装置２の構成を示す図。
【図３】操作パネル１の構成を示す図。
【図４】送信先ＤＢ１２１の一例を示す図。
【図５】操作パネル１の機能的構成を示す図。
【図６】操作パネル１の動作の流れを説明するフロー図。
【図７】送信先の指定を受付ける操作画面の一例を示す図。
【図８】指定された送信先と対応付ける利用者名を受付ける操作画面の一例。
【図９】操作の終了の指示を受付けたときにおける操作パネル１の動作の流れを説明するフロー図。
【図１０】利用者が決められた範囲内からいなくなったときにおける操作パネル１の動作の流れを説明するフロー図。
【発明を実施するための形態】
【００１４】
１．実施形態
１−１．画像処理システムの全体構成
図１は、本実施形態に係る画像処理システム９の全体構成を示す図である。画像処理システム９は、例えばＬＡＮ（Local Area Network）を構成する通信回線４と、この通信回線４に接続された操作パネル１、および複数の画像処理装置３を有する。また、画像処理システム９は、操作パネル１と接続し、この操作パネル１によって制御される画像読取装置２を有する。なお画像読取装置２は、操作パネル１によって制御されていれば通信回線４と接続されていてもよい。画像処理システム９は、他に１つまたは複数の端末５を有していてもよい。通信回線４はＷＡＮ（Wide Area Network）、公衆電話回線等を含んでいてもよい。
【００１５】
図１に示す操作パネル１は、利用者の操作を受付けて、その操作に応じた制御信号を画像読取装置２に伝えて画像読取装置２に画像を読取らせる制御装置である。また、操作パネル１は、画像読取装置２が読取った画像を示す画像データを生成すると、その画像データを取得して利用者の操作で指定される送信先である画像処理装置３に送信する送信装置である。送信先は操作パネル１によって記憶される。
【００１６】
図１に示す画像読取装置２は、操作パネル１から受けた指示に従って媒体等に形成された画像を読取り、その画像を示す画像データを生成する装置である。画像処理システム９が有する画像読取装置２は図１に示す通り１つであってもよいし、複数であってもよい。
【００１７】
図１に示す画像処理装置３は、通信回線４および操作パネル１を介して画像読取装置２と接続するように構成された情報処理装置である。画像処理システム９が有する画像処理装置３は複数であってもよいし、１つであってもよい。図１に示す画像処理装置３は画像処理装置３Ａ，３Ｂ，３Ｃの３つである。画像処理装置３は、通信回線４を介して操作パネル１と接続し、操作パネル１を介して画像読取装置２が読取った画像を示す画像データを受信して、その画像データを用いて指定された処理を実行する。
【００１８】
例えば画像処理装置３Ａは、操作パネル１から受信した画像データに基づいて、電子写真方式や熱転写方式、インクジェット方式等によって用紙等の媒体に画像を形成する画像形成装置である。また、例えば画像処理装置３Ｂは、操作パネル１から受信した画像データを保存し、端末５からの要求に応じてその画像データを供給するサーバ装置である。また、例えば画像処理装置３Ｃは、図示しない公衆電話回線に接続し、操作パネル１から受信した画像データを他の装置に送るファクシミリである。また、画像処理装置３は、操作パネル１から受信した画像データが添付された電子メールを指定された送信先に配信するメールサーバ装置であってもよい。
【００１９】
図１に示す端末５は、画像処理装置３が受信した画像データを取得する情報処理端末である。図１に示す端末５は、例えば、ノート型パソコンである端末５Ａや携帯電話機である端末５Ｂ等である。
【００２０】
１−２．画像読取装置の構成
図２は、画像読取装置２の構成を示す図である。画像読取装置２は、制御部２１、記憶部２２、通信部２３、および画像読取部２５を有する。制御部２１は、ＣＰＵ（Central Processing Unit）、ＲＯＭ（Read Only Memory）、ＲＡＭ（Random Access Memory）を有し、ＣＰＵがＲＯＭや記憶部２２に記憶されているコンピュータプログラム（以下、単にプログラムという）を読み出して実行することにより画像読取装置２の各部を制御する。
【００２１】
通信部２３は、有線または無線により操作パネル１に接続する通信回路である。また、通信部２３は、通信回線４と接続する機能を有していてもよい。通信部２３は、通信回線４を介して操作パネル１に接続する場合、操作パネル１に直接、接続しなくてもよい。
【００２２】
画像読取部２５は、制御部２１の制御の下、用紙等の媒体上に形成された画像を光学的に読取り、その画像を示す画像データを生成する。
【００２３】
記憶部２２は、ハードディスクドライブ等の大容量の記憶手段であり、制御部２１のＣＰＵに読み込まれる各種のプログラムを記憶する。また、記憶部２２は、画像読取部２５で読取った画像を示す画像データを記憶してもよい。
【００２４】
１−３．操作パネルの構成
図３は、操作パネル１の構成を示す図である。操作パネル１は、画像読取装置２と直接または通信回線４を介して接続し、画像読取装置２を制御する制御装置の一例である。操作パネル１は、制御部１１、記憶部１２、通信部１３、表示部１４、および操作部１５を有する。また、操作パネル１は、他に利用者が決められた範囲内に存在するか否かを検知する検知部１６を有していてもよい。
【００２５】
制御部１１は、ＣＰＵ、ＲＯＭ、ＲＡＭを有し、ＣＰＵがＲＯＭや記憶部１２に記憶されているプログラムを読み出して実行することにより操作パネル１の各部を制御する。
【００２６】
通信部１３は、有線または無線により画像読取装置２に接続する通信回路である。また、通信部１３は、有線または無線により通信回線４に接続する。通信部１３は、この通信回線４を介して画像読取装置２に接続してもよい。
【００２７】
記憶部１２は、ソリッドステートドライブ等の大容量の記憶手段であり、制御部１１のＣＰＵに読み込まれる各種のプログラムを記憶する。また、記憶部１２は、画像データの送信先を管理するためのデータベース（以下、「ＤＢ」とも記載する）である送信先ＤＢ１２１を記憶する。
【００２８】
送信先ＤＢ１２１は、いわゆるアドレス帳であり、画像読取装置２を利用する利用者をそれぞれ識別する識別情報である利用者名ごとに、画像データの送信先を示す文字列と、その送信先へ画像データを送信する際に用いる手続との組が複数組、記述されたデータベースである。
【００２９】
図４は、送信先ＤＢ１２１の一例を示す図である。送信先ＤＢ１２１は、利用者名リスト１２１１と、送信先リスト１２１２とを含む。利用者名リスト１２１１には、複数の利用者の識別情報である利用者名が列挙されている。送信先リスト１２１２には、画像データの送信先を示す文字列と、その送信先へ画像データを送信する際に用いる手続の名称と、が対応付けて記述されている。
【００３０】
すなわち、記憶部１２の送信先ＤＢ１２１は、送信先とその送信先に画像データを送信するための手続とを対応付けて記憶する。そして制御部１１は、記憶部１２の送信先ＤＢ１２１において送信先と対応付けられた手続によって画像データを送信する。
【００３１】
例えば図４に示す送信先ＤＢ１２１の場合、利用者名「ＵＡ」の利用者には、手続「電子メール」で送信される送信先として「ａａａ＠△△△．ｃｏｍ」が記述されている。また、図４に示す送信先ＤＢ１２１において、利用者名「ＵＢ」の利用者には、手続「電子メール」で送信される送信先として未登録を示す「−」が記述されている。
【００３２】
１−４．操作パネルの機能的構成
図５は、操作パネル１の機能的構成を示す図である。操作パネル１は、制御部１１が記憶部１２に記憶されたプログラムを実行することにより、図５に示す取得部１１０、第１受付部１１１、第２受付部１１２、指示部１１４、および送信部１１５として機能する。また、制御部１１は、プログラムを実行することにより、図５に破線で示す第３受付部１１３、判定部１１６、および警告部１１７として機能してもよい。
【００３３】
取得部１１０は、通信部１３を介して、画像読取装置２に読取らせた画像を示す画像データを取得する。
【００３４】
第１受付部１１１は、操作部１５から上記の画像データの送信先の指定を受付ける。指示部１１４は、第１受付部１１１が受付けた指定により示される送信先が記憶部１２の送信先ＤＢ１２１に記憶されていない場合に、第２受付部１１２に対してこの送信先に対応付ける名称の指定を受付けるよう指示する。つまり、第２受付部１１２は、第１受付部１１１が受付けた指定により示される送信先が記憶部１２の送信先ＤＢ１２１に記憶されていない場合に、この送信先に対応付ける名称の指定を受付ける。
【００３５】
また、指示部１１４は、第２受付部１１２が名称の指定を受付けた場合に、その名称と第１受付部１１１が受付けた指定により示される送信先とを対応付けて記憶するよう記憶部１２に指示する。
【００３６】
送信部１１５は、第１受付部１１１が受付けた指定により示される送信先に、取得部１１０が画像読取装置２から取得した画像データを送信する。
【００３７】
判定部１１６は、送信部１１５による画像データの送信が成功したか否かを判定する。指示部１１４は、判定部１１６により画像データの送信が成功したと判定された場合に、第２受付部１１２に対してこの送信先に対応付ける名称の指定を受付けるよう指示する。つまり、第２受付部１１２は、判定部１１６により画像データの送信が成功したと判定された場合に、上述した送信先に対応付ける名称の指定を受付ける。
【００３８】
第３受付部１１３は、操作部１５から操作の終了の指示を受付ける。「操作の終了の指示」とは、利用者が操作パネル１を利用する操作を終えたことを示す指示であり、例えば操作パネル１に対する認証を解除する指示である。
【００３９】
警告部１１７は、第２受付部１１２による名称の指定が受付けられる前に、第３受付部１１３が終了の指示を受付けた場合に、警告をする。この警告は、例えば表示部１４に「名称が未指定である」ことを示す画像を表示させることで行なわれる。
【００４０】
なお、操作パネル１が利用者を検知する検知部１６を有する場合、第２受付部１１２は、検知部１６の検知結果に応じて動作を変えてもよい。例えば、第２受付部１１２は、利用者が決められた範囲内からいなくなったことを検知部１６が検知した場合に、上述した名称の指定を受付けないようにしてもよい。
【００４１】
１−５．操作パネルの動作
図６は、操作パネル１の動作の流れを説明するフロー図である。操作パネル１の制御部１１は、操作部１５から利用者による送信先の指定を受付けたか否かを判断し（ステップＳ１０１）、送信先の指定を受付けていないと判断する間（ステップＳ１０１；ＮＯ）、この判断を続ける。
【００４２】
図７は、送信先の指定を受付ける操作画面の一例を示す図である。操作パネル１の制御部１１は、図７に示す操作画面を表示部１４に表示させる。この操作画面のタイトルは「画像送信」である。タイトルの右側の領域Ｒ１には「ＯＫ」と書かれたボタンが表示される。領域Ｒ１のこのボタンは、画像データの送信を実行する旨の指示をするためのボタンである。このボタンが押されると、制御部１１は、送信先の指定を受付けたと判断する。
【００４３】
タイトルの左側の領域Ｒ２には「×」と書かれたボタンが表示される。領域Ｒ２のこのボタンは、画像データの送信を中止する旨の指示をするためのボタンである。このボタンが押されると、制御部１１は、画像データの送信を中止する。
【００４４】
領域Ｒ３ａおよび領域Ｒ４ａは、いわゆる「手入力」をするためのボックスであり、図示しないキーボードやテンキー等を操作して利用者が送信先を示す文字列を編集すると、編集されたその文字列がこれらの領域に表示される。
【００４５】
領域Ｒ３ｂは領域Ｒ３ａの右端に表示されるアイコンであり、領域Ｒ４ｂは領域Ｒ４ａの右端に表示されるアイコンである。領域Ｒ３ｂおよび領域Ｒ４ｂのアイコンは、例えば下向きの三角形で表現され、利用者がここに触れると、いわゆるプルダウンメニューが表示される。このプルダウンメニューには、既に送信先ＤＢ１２１に記憶されている送信先のリストが表示される。利用者は、これらのいずれかを選択する操作をすると、１つの送信先が選択される。つまり、操作パネル１は、上述した手入力のほか、送信先ＤＢ１２１を用いて送信先を入力する「選択入力」を利用者に提供してもよい。
【００４６】
領域Ｒ３ｃは領域Ｒ３ａの左端に表示されるアイコンであり、領域Ｒ４ｃは領域Ｒ４ａの左端に表示されるアイコンである。領域Ｒ３ｃおよび領域Ｒ４ｃのアイコンは、例えば「−（マイナス）」の文字列で表現され、利用者がここに触れると、対応する領域Ｒ３ａまたは領域Ｒ４ａが削除される。
【００４７】
領域Ｒ５は「＋（プラス）」の文字列で表現されるアイコンであり、利用者がここに触れると送信先の指定を受付けるボックスを追加する。領域Ｒ６は、ボックスが追加されることで操作画面の縦方向の長さが表示領域を超えた場合に、スクロールをして操作画面の表示箇所を調整するためのスクロールバーが表示される。
【００４８】
図６に示す通り、送信先の指定を受付けたと判断すると（ステップＳ１０１；ＹＥＳ）、制御部１１は、指定されたその送信先に、画像読取装置２から取得した画像データを送信するよう通信部１３に指示する（ステップＳ１０２）。
【００４９】
制御部１１は、ステップＳ１０２において画像データを送信するよう通信部１３に指示した後、その送信が成功したか否かを判断してもよい（ステップＳ２０１）。そして送信が成功したと判断すると（ステップＳ２０１；ＹＥＳ）、制御部１１は処理をステップＳ１０３に進め、送信が失敗したと判断すると（ステップＳ２０１；ＮＯ）、処理を終了してもよい。制御部１１は、ステップＳ１０２で画像データを送信する指示をした後、そのまま処理をステップＳ１０３に進めてもよい。
【００５０】
制御部１１は、指定された送信先が送信先ＤＢ１２１に未登録であるか否かを判断する（ステップＳ１０３）。送信先が送信先ＤＢ１２１に未登録でないと判断すると（ステップＳ１０３；ＮＯ）、制御部１１は処理を終了する。なお、利用者が上述した選択入力をした場合、指定された送信先は送信先ＤＢ１２１から選択されているので、制御部１１は未登録でないと判断する。
【００５１】
送信先が送信先ＤＢ１２１に未登録であると判断すると（ステップＳ１０３；ＹＥＳ）、制御部１１は、操作部１５を介して利用者から、送信先の利用者を示す名称、すなわち、利用者名の指定を受付け、利用者名を受付けたか否かを判断する（ステップＳ１０４）。
【００５２】
図８は、指定された送信先と対応付ける利用者名を受付ける操作画面の一例である。操作パネル１の制御部１１は、例えば図７に示す操作画面で領域Ｒ１のボタンが押された場合に、領域Ｒ３ａおよび領域Ｒ４ａに記入されていた送信先を表す各文字列が送信先ＤＢ１２１に登録されているか否か判断し、未登録の送信先がある場合には、図８に示す操作画面を表示部１４に表示させる。
【００５３】
この操作画面のタイトルは「登録（１／２）」である。このタイトルのうち、括弧内は、例えば未登録の送信先の総数と、その総数のうち、今、登録しようとしている送信先が何番目であるかを表している。タイトルの右側の領域Ｒ１には「ＯＫ」と書かれたボタンが表示される。領域Ｒ１のこのボタンは、未登録の送信先を登録する旨の指示をするためのボタンである。このボタンが押されると、制御部１１は、送信先の登録を指示されたと判断する。
【００５４】
タイトルの左側の領域Ｒ２には「×」と書かれたボタンが表示される。領域Ｒ２のこのボタンは、送信先の登録を中止する旨の指示をするためのボタンである。このボタンが押されると、制御部１１は、送信先の登録を中止する。
【００５５】
領域Ｒ７には、登録対象とする送信先の文字列が表示される。制御部１１は、領域Ｒ７に表示された文字列が示す送信先に画像データを送信するときに用いる手続を特定する。例えば図８に示す領域Ｒ７には「ｂｂｂ＠◇◇◇．ｃｏｍ」が記述されている。制御部１１は、例えばこの文字列のうち「＠」や「．ｃｏｍ」などの特徴的な文字列を抽出して、これが電子メールのアドレスであることを判断し、この送信先に送信する際の手続が「電子メール」であることを特定する。
【００５６】
領域Ｒ８ａは、領域Ｒ７に表示された送信先に対応付ける名称を記入するためのボックスである。図示しないキーボードやテンキー等を操作して利用者が名称を示す文字列を編集すると、編集されたその文字列が領域Ｒ８ａに表示される。
【００５７】
領域Ｒ８ｂは領域Ｒ８ａの右端に表示されるアイコンであり、例えば下向きの三角形で表現され、利用者がここに触れると、いわゆるプルダウンメニューが表示される。このプルダウンメニューには、送信先ＤＢ１２１の利用者名リスト１２１１に記憶されている利用者名のうち、領域Ｒ７の文字列に基づいて特定した上述の手続に対して送信先が対応付けられていない利用者名のリストが表示される。利用者は、これらのいずれかを選択する操作をすると、１つの利用者名が選択される。
【００５８】
図６に示す通り、利用者名を受付けていないと判断する間（ステップＳ１０４；ＮＯ）、制御部１１は、このステップＳ１０４を続ける。利用者名を受付けたと判断すると（ステップＳ１０４；ＹＥＳ）、制御部１１は、受付けた利用者名と送信先とを対応付けて送信先ＤＢ１２１に登録するよう記憶部１２に指示し（ステップＳ１０５）、処理を終了する。
【００５９】
以上により、操作パネル１の制御部１１は、画像データの送信先の指定を受付けて、送信する際に、指定されたその送信先が未登録であるか否か判断し、未登録であるなら利用者に対し、その送信先に対応付ける名称の指定を要求して登録を促す。
【００６０】
図６に示す処理と並行して制御部１１は、操作部１５から操作の終了の指示を受付けてもよい。図９は、操作の終了の指示を受付けたときにおける操作パネル１の動作の流れを説明するフロー図である。制御部１１は、操作部１５が操作の終了の指示を受付けたか否か判断する（ステップＳ３０１）。操作の終了の指示を受付けていないと判断する場合（ステップＳ３０１；ＮＯ）、制御部１１は処理を終了する。
【００６１】
操作の終了の指示を受付けたと判断する場合（ステップＳ３０１；ＹＥＳ）、制御部１１は図６に示したステップＳ１０４の利用者名を受付ける処理中であるか否か判断する（ステップＳ３０２）。利用者名を受付ける処理中ではないと判断する場合（ステップＳ３０２；ＮＯ）、制御部１１は処理を終了する。
【００６２】
利用者名を受付ける処理中であると判断する場合（ステップＳ３０２；ＹＥＳ）、制御部１１は、表示部１４に「名称が未指定である」ことを示す画像を表示させて利用者に向けた警告をする（ステップＳ３０３）。これにより、操作の終了を指示した利用者は、未登録の送信先がある否かについて操作パネル１により知らされる。
【００６３】
また、図６に示す処理と並行して制御部１１は、検知部１６の検知結果に応じて動作を変えてもよい。図１０は、利用者が決められた範囲内からいなくなったときにおける操作パネル１の動作の流れを説明するフロー図である。
【００６４】
操作パネル１の制御部１１は、検知部１６が操作パネル１から決められた範囲内に利用者がいなくなったか否かを判断する（ステップＳ４０１）。この範囲内に利用者がいなくなっていないと判断する場合（ステップＳ４０１；ＮＯ）、制御部１１は処理を終了する。
【００６５】
上述した範囲内に利用者がいなくなっていると判断する場合（ステップＳ４０１；ＹＥＳ）、制御部１１は図６に示したステップＳ１０４の利用者名を受付ける処理中であるか否か判断する（ステップＳ４０２）。利用者名を受付ける処理中ではないと判断する場合（ステップＳ４０２；ＮＯ）、制御部１１は処理を終了する。
【００６６】
利用者名を受付ける処理中であると判断する場合（ステップＳ４０２；ＹＥＳ）、制御部１１は、利用者名を受付ける処理を中止する（ステップＳ４０３）。これにより、操作パネル１の前に利用者がいなくなったときに、利用者名の受付は中止される。
【００６７】
２．変形例
以上が実施形態の説明であるが、この実施形態の内容は以下のように変形し得る。また、以下の変形例を組み合わせてもよい。
【００６８】
２−１．変形例１
上述した実施形態において送信先ＤＢ１２１は、送信先とその送信先に画像データを送信するための手続とを対応付けて記憶していたが、送信先と手続とを対応付けて記憶しなくてもよい。この場合、例えば利用者が送信時に上述した手続を指定してもよい。
【００６９】
２−２．変形例２
上述した実施形態において第２受付部１１２は、送信が成功したと判定された場合に未登録の送信先と対応付ける名称の指定を受付けていたが、送信の成否を判定せず、成否に関わらず名称の指定を受付けてもよい。
【００７０】
２−３．変形例３
上述した実施形態において操作パネル１は操作の終了の指示を受付けていたが、この指示を受付けなくてもよい。例えば操作パネル１は、最後に操作されてから決められた時間が経過すると、利用者が操作を終了したと判断してもよい。
【００７１】
２−４．変形例４
操作パネル１は、利用者を検知する検知部１６を有していなくてもよい。また、検知部１６により利用者の不在が検知されても、操作パネル１は未登録の送信先に対応付ける名用の指定を受付けてもよい。
【００７２】
２−５．変形例５
上述した実施形態において、操作パネル１と画像読取装置２とは別体であったが、操作パネル１の機能を画像読取装置２が有していてもよい。この場合、画像読取装置２の制御部２１および記憶部２２が、画像読取装置２を制御する制御装置として機能すればよい。
【００７３】
２−６．変形例６
操作パネル１の制御部１１によって実行されるプログラムは、磁気テープや磁気ディスク等の磁気記録媒体、光ディスク等の光記録媒体、光磁気記録媒体、半導体メモリ等の、コンピュータ装置が読取り可能な記録媒体に記憶された状態で提供し得る。また、このプログラムを、インターネット等の通信回線経由でダウンロードさせることも可能である。なお、上記の制御部１１によって例示した制御手段としてはＣＰＵ以外にも種々の装置が適用される場合があり、例えば、専用のプロセッサ等が用いられる。
【符号の説明】
【００７４】
１…操作パネル、１１…制御部、１１０…取得部、１１１…第１受付部、１１２…第２受付部、１１３…第３受付部、１１４…指示部、１１５…送信部、１１６…判定部、１１７…警告部、１２…記憶部、１２１…送信先ＤＢ、１２１１…利用者名リスト、１２１２…送信先リスト、１３…通信部、１４…表示部、１５…操作部、１６…検知部、２…画像読取装置、２１…制御部、２２…記憶部、２３…通信部、２５…画像読取部、３（３Ａ，３Ｂ，３Ｃ）…画像処理装置、４…通信回線、５（５Ａ，５Ｂ）…端末、９…画像処理システム。
【図１】
2018026719.tif 000003
【図２】
2018026719.tif 000004
【図３】
2018026719.tif 000005
【図４】
2018026719.tif 000006
【図５】
2018026719.tif 000007
【図６】
2018026719.tif 000008
【図７】
2018026719.tif 000009
【図８】
2018026719.tif 000010
【図９】
2018026719.tif 000011
【図１０】
2018026719.tif 000012